(57)【要約】【課題】音と光とによる演出を遊技機枠の前側に適切に提供する。【解決手段】中高音ユニット２５から前側に放出された音は、空気の振動による音の矢印Ｘ１で示す伝達路により、中高音放音孔部４８を経由して前扉４の斜め下方前側に向けて放出され、中高音ユニット２５の後側には表示灯基板１０４が配置され、前ユニット容器１１７および後ユニット容器１１８には凹凸が形成されており、表示灯１０６から放出された光は、凹凸で屈折し、前ユニット容器１１７および後ユニット容器１１８を全体的に一様に鮮明に照明する。【選択図】図１
2007175123.tif 000002
【特許請求の範囲】
【請求項１】
遊技機枠の前扉が前後方向に貫通する窓と窓を塞ぐように前扉の裏面に設けられたパネル構造体とを備え、音響ユニットが前側で表示灯基板が後側となるように、音響ユニットおよび表示灯基板が前後方向に重ねられて前扉に設けられ、音響ユニットはスピーカが前ユニット容器および後ユニット容器からなるユニット容器に内蔵され、前ユニット容器および後ユニット容器が光を透過する性質のある合成樹脂により構成され、表示灯基板に設けられた表示灯から放出された光がユニット容器を全体的に照明することを特徴とする遊技音響装置。
【発明の詳細な説明】
【技術分野】
【０００１】
本発明は、音と光とによる演出が遊技機枠の前側に適切に提供される遊技音響装置に関する。
【背景技術】
【０００２】
遊技音響装置には、次のような構造のものが知られている。その１つは、遊技機枠の裏側にスピーカとエンクロージャとが一体になったスピーカ構造体を設け、エンクロージャの音をパイプで遊技機枠の前側に誘導して放出するようにした構造であるが、この場合、スピーカ構造体のほかにパイプが必要で、構造が複雑となるという欠点がある。もう１つは、前扉のガラスを振動板として利用した構造であるが、この場合、ガラスの共振周波数が数百ヘルツであるため、低音再生用として使用するには適切でないという欠点がある。さらにもう１つは、圧電式のスピーカを前扉のガラスに接触した構造であるが、この場合、ガラスの共振周波数が数百ヘルツであるため、低音再生用として使用するには適切でないという欠点がある。最後の１つは、圧電式のスピーカを前扉に貼り付けた構造であるが、この場合、ガラスの共振周波数が数百ヘルツであるため、低音再生用として使用するには適切でないという欠点がある。
【特許文献１】特開２００４−２２９１８３号公報
【特許文献２】特開平７−８６０１号公報
【特許文献３】特開平１０−２１６３２５号公報
【特許文献４】特開２００３−１３５８０４号公報
【発明の開示】
【発明が解決しようとする課題】
【０００３】
発明が解決しようとする問題点は、光と音とによる遊技の演出が遊技機枠の前側に適切に提供できないという点である。
【課題を解決するための手段】
【０００４】
本発明に係る遊技音響装置は、遊技機枠の前扉が前後方向に貫通する窓と窓を塞ぐように前扉の裏面に設けられたパネル構造体とを備え、音響ユニットが前側で表示灯基板が後側となるように、音響ユニットおよび表示灯基板が前後方向に重ねられて前扉に設けられ、音響ユニットはスピーカが前ユニット容器および後ユニット容器からなるユニット容器に内蔵され、前ユニット容器および後ユニット容器が光を透過する性質のある合成樹脂により構成され、表示灯基板に設けられた表示灯から放出された光がユニット容器を全体的に照明することを最も主要な特徴とする。
【発明の効果】
【０００５】
本発明に係る遊技音響装置は、音響ユニットのスピーカから放出された音が前扉から前側に放出され、表示灯から放出された光がユニット容器を全体的に鮮明に照明するので、音と光とによる良好な演出を遊技者に与えることができるという利点がある。
【発明を実施するための最良の形態】
【０００６】
図１乃至図５は、発明を実施するための最良の形態である。図１は、遊技機枠１に設けられた遊技音響装置を図３に示すＡ−Ａ線に沿って切断した断面を示す。図２は、パチンコ遊技機の遊技機枠１および遊技盤３６を分解して示す。図３は、パチンコ遊技機の正面を示す。図４は、前扉４を分解して示す。図５は、中高音ユニット２５を分解して示す。本明細書において、「前」、「表」、「後」、「裏」、「左」、「右」、「上」、「下」の方向は、図２の状態に遊技機枠１および遊技盤３６を置いて矢印Ｓで示す前側から見た場合に特定される方向である。「前」および「表」は同じ方向である。「後」および「裏」は同じ方向である。
【０００７】
図１を参照し、遊技音響装置の構造について説明する。遊技音響装置が設けられる遊技機枠１としてパチンコ遊技機の遊技機枠１を例として説明する。遊技機枠１の前扉４が窓２４およびパネル構造体２７を備える。前扉４には、中高音ユニット２５、台詞ユニット２６（図３参照）、中高音放音孔部４８、台詞放音孔部４９（図３参照）が設けられる。中高音ユニット２５は、前扉４の窓２４よりも左右上部に分かれて配置される。台詞ユニット２６は、前扉４の窓２４よりも中央上部に配置される。そして、中高音ユニット２５から放出された中高音が中高音放音孔部４８を経由して前扉４における窓２４の左右上部から前側に放出され、台詞ユニット２６から放出された台詞が台詞放音孔部４９を経由して前扉４における窓２４の中央上部から前側に放出されるという利点がある。
【０００８】
図２を参照し、パチンコ遊技機の構造について説明する。遊技機枠１は、固定枠２の前側に可動枠３を開閉可能に備え、可動枠３の前側に前扉４および皿構造体５を開閉可能に備える。固定枠２は、パチンコ遊技機を設置する遊技店の島と呼ばれる遊技機設置設備に固定される外枠とも呼ばれる。可動枠３は、遊技盤３６や図外の制御装置など遊技に必要な部品を取り付ける前枠とも呼ばれる。可動枠３は、左側に位置するヒンジ６を中心とし、固定枠２の前側で前側に開かれかつ後側に閉じられるように、片開き可能であって、盤収容部７、中央開口部８、盤後側押出部９、盤前側受止部１０、盤掛止操作体１１、盤棚１２、球発射機構１３、球発射レール１４、戻り球取入口１５、前横樋１６、機外排出樋１７、施錠装置１８、掛止機構１９；２０；２１および掛止解除操作体２２が設けられる。盤収容部７は、遊技盤３６を可動枠３の前側から格納させるように、前側に開口した方形な箱形である。中央開口部８は、盤収容部７の背壁に、前後方向への貫通孔として形成される。
【０００９】
盤後側押出部９は、遊技盤３６を前側に押す板ばねのような弾性体である。盤前側受止部１０は、盤後側押出部９で前側に押された遊技盤３６を受け止める突起である。盤後側押出部９が後側で盤前側受止部１０が前側となるように、盤後側押出部９および盤前側受止部１０が盤収容部７の左側部に設けられる。盤掛止操作体１１は、盤収容部７の背壁から前側に突出し、盤収容部７の背壁と平行な方向に回転可能に、盤収容部７の右側部に設けられる。盤棚１２は、遊技盤３６を搭載する左右方向に平坦な面として、盤収容部７の下縁部により形成される。球発射機構１３、球発射レール１４、戻り球取入口１５、前横樋１６は、盤棚１２から下側に延設された前壁の前面に設けられる。機外排出樋１７は、盤棚１２から下側に延設された前壁の裏面に設けられる。施錠装置１８、掛止機構１９；２０；２１、掛止解除操作体２２は、可動枠３の右側部に設けられる。
【００１０】
前扉４および皿構造体５は、個別に、左側に位置するヒンジ２３を中心とし、可動枠３の前側で前側に開かれかつ後側に閉じられるように、片開き可能である。前扉４は、パネル枠とも呼ばれ、前後方向に貫通する窓２４を囲む額縁形状である。前扉４の裏面には、パネル構造体２７および掛止部材２８が設けられる。パネル構造体２７は、左側に位置するヒンジ２９を中心とし、前扉４の裏側で裏側に開かれかつ前側に閉じられるように、片開き可能である。パネル構造体２７が閉じられて前扉４に掛止部材２８で開閉不能に支持されると、パネル構造体２７が窓２４を裏側から塞ぐ。
【００１１】
皿構造体５の前面には、受皿部３１および発射操作機構３２が設けられる。皿構造体５の裏面には、球取入口３３および球供給口３４が設けられる。皿構造体５が閉じられた場合、球発射機構１３と球発射レール１４と戻り球取入口１５および前横樋１６が、皿構造体５で覆い隠される。可動枠３が閉じられて固定枠２に掛止機構１９で開閉不能に支持され、前扉４および皿構造体５が閉じられて可動枠３に掛止機構２０；２１で開閉不能に支持された状態において、遊技店の店員が図外のキープレート（鍵）を遊技機枠１の前側から施錠装置１８の鍵穴に挿入し、当該キープレートを例えば右側に９０度回転操作すると、固定枠２と可動枠３との掛止機構１９による支持形態が解除される。この支持形態の解除後に、遊技店の店員が可動枠３を前側に引くことによって、可動枠３はヒンジ６を中心として前側に片開きされる。また、上記施錠装置１８の鍵穴に挿入されたキープレートが例えば左側に９０度回転操作されると、可動枠３と前扉４との掛止機構２０による支持形態が解除される。この支持形態の解除後に、遊技店の店員が前扉４を前側に引くことによって、前扉４はヒンジ２３を中心として前側に片開きされる。
【００１２】
遊技盤３６の遊技領域は、遊技盤３６の前面の内ガイドレール３７および外ガイドレール３８で囲まれた内側の部分であって、遊技機枠１の前側から窓２４およびパネル構造体２７を経由して視認される。遊技領域には、入賞部品３９、センター飾り４０、アウト口４１、発射通路４２、図外の遊技釘その他遊技部品が設けられる。発射通路４２は、内ガイドレール３７の左側部と外ガイドレール３８の左側部との間の隙間によって形成される。入賞部品３９は、一般入賞部品、始動入賞部品、可変入賞部品などである。その他遊技部品とは、風車、サイドランプ、フィギャー、キャラクター、保留数表示器などである。遊技盤３６の右側部には、取付部４３が上下に分かれて設けられる。取付部４３には、取付孔４４が前後方向への貫通孔として設けられる。下部の取付部４３は、遊技盤３６の前面に設けられた証紙台４５が閉じられると、証紙台４５で覆い隠される。
【００１３】
そして、前扉４が少なくとも前側に開かれた状態において、遊技盤３６の左側部が可動枠３の前側から盤後側押出部９と盤前側受止部１０との間に挿入され、遊技盤３６の右側部が遊技店の店員によって前側から後側に押され、盤掛止操作体１１が遊技盤３６の裏側から取付孔４４に挿入され、遊技店の店員が遊技盤３６の前側に突出した盤掛止操作体１１を例えば９０度回転操作することによって、盤掛止操作体１１が遊技盤３６の前面に掛け止められ、遊技盤３６の遊技領域が前側に向けられ、遊技盤３６が可動枠３の内部における盤収容部７に装着される。そして、閉じられた前扉４が可動枠３に掛止機構２０で開閉不能に支持されることによって、遊技盤３６の遊技領域が遊技機枠１の窓２４およびパネル構造体２７を通して見える形態となる。その後、遊技店の店員がキープレートを施錠装置１８の鍵穴から前側に抜き取る。
【００１４】
図３を参照し、前扉４および皿構造体５が閉じられた遊技機枠１の正面の構造について説明する。前扉４の前面には、中高音放音孔部４８や台詞放音孔部４９が、窓２４よりも上部で左右方向に分かれて設けられる。そして、図外の制御装置が電力供給を受けて起動し、パチンコ球と呼ばれる球が受皿部３１に入れられ、遊技者が発射操作機構３２を操作し、発射操作機構３２から操作量に相当する電気的な出力が制御装置に入力され、制御装置が球発射機構１３を駆動すると、球発射機構１３が受皿部３１から球供給口３４（図２参照）を経由して球発射レール１４に供給された球を１個ずつ発射操作機構３２による操作量に応じた機械的な出力で遊技盤３６の遊技領域に向けて発射する。遊技領域に発射された球が入賞部品３９に入賞し、図外の球検出器が入賞部品３９に入賞した球を検出した入賞信号を制御装置に出力し、制御装置が入賞信号に基づき中高音ユニット２５や台詞ユニット２６を駆動すると、中高音や台詞が前扉４の上部における中高音放音孔部４８や台詞放音孔部４９から前側に放出される。
【００１５】
図４を参照し、前扉４の構造について説明する。前扉４は、扉化粧体４Ａおよび扉基盤４Ｂを備える。扉化粧体４Ａは、前扉４における前面の意匠を形成するものであって、前窓部２４Ａと中高音放音孔部４８および台詞放音孔部４９を備える。中高音放音孔部４８は、前窓部２４Ａよりも上部で左右に分かれ、前後方向への貫通孔として設けられる。台詞放音孔部４９は、前窓部２４Ａよりも上部で中央に位置し、前後方向への貫通孔として設けられる。扉化粧体４Ａの裏面には、音を通過させる保護部材９６；９７が個別に設けられる。保護部材９６；９７は、金属からなる網、金属板に多数の貫通孔の開けられたパンチングメタルなどにより構成される。保護部材９６は、複数の中高音放音孔部４８を個別に被覆するものであって、止ねじ９８が保護部材９６の裏側から網目または貫通孔を経由して扉化粧体４Ａの裏面に締結される。これによって、保護部材９６が中高音放音孔部４８を被覆し扉化粧体４Ａの裏面に取り付けられる。保護部材９７は、台詞放音孔部４９を被覆するものであって、止ねじ９９が保護部材９７の裏側から網目または貫通孔を経由して扉化粧体４Ａの裏面に締結される。これによって、保護部材９７が台詞放音孔部４９を被覆し扉化粧体４Ａの裏面に取り付けられる。
【００１６】
扉基盤４Ｂは、前扉４における部品を取り付ける躯体を形成するものであって、後窓部２４Ｂ、取付孔５０Ｂ、ユニット取付部１００；１０１、基板取付部１０２；１０３を備える。取付孔５０Ｂは、扉基盤４Ｂの四隅に前後方向への貫通孔として設けられる。ユニット取付部１００は、左右の中高音ユニット２５を個別に取り付けるものであって、扉基盤４Ｂの前面から前側に筒状に突出する。ユニット取付部１０１は、台詞ユニット２６を取り付けるものであって、扉基盤４Ｂの前面から前側に筒状に突出する。基板取付部１０２は、左右の中高音ユニット２５に個別に対応する表示灯基板１０４を個別に取り付けるものであって、扉基盤４Ｂに前後方向への貫通孔として設けられ、貫通孔を囲む筒体が扉基盤４Ｂの裏面から後側に突出する。基板取付部１０３は、台詞ユニット２６に対応する表示灯基板１０５を取り付けるものであって、扉基盤４Ｂに前後方向への貫通孔として設けられる。
【００１７】
表示灯基板１０４が扉基盤４Ｂに取り付けられた後、中高音ユニット２５が扉基盤４Ｂに取り付けられる。表示灯基板１０４には、ＬＥＤのような表示灯１０６が実装され、取付孔１０７が前後方向への貫通孔として設けられる。そして、表示灯１０６が中高音ユニット２５の側である前側に向けられ、タッピングスクリューのような止ねじ１０８が表示灯基板１０４の前側から取付孔１０７を経由して基板取付部１０２に締結される。その後、タッピングスクリューのような止ねじ１０９が中高音ユニット２５の前側から取付足１１０のねじ挿入孔を経由してユニット取付部１００に締結される。これによって、扉基盤４Ｂの前側には表示灯基板１０４が配置され、表示灯基板１０４の前側には中高音ユニット２５が配置された格好で、扉基盤４Ｂには表示灯基板１０４および中高音ユニット２５が取り付けられる。
【００１８】
表示灯基板１０５が扉基盤４Ｂに取り付けられた後、台詞ユニット２６が扉基盤４Ｂに取り付けられる。表示灯基板１０５には、ＬＥＤのような表示灯１１１が実装され、取付孔１１２が前後方向への貫通孔として設けられ、貫通孔を囲む筒体が扉基盤４Ｂの裏面から後側に突出する。そして、表示灯１１１が台詞ユニット２６の側である前側に向けられ、タッピングスクリューのような止ねじ１１３が表示灯基板１０５の前側から取付孔１１２を経由して基板取付部１０３に締結される。その後、タッピングスクリューのような止ねじ１１４が台詞ユニット２６の前側から取付足１１５のねじ挿入孔を経由してユニット取付部１０１に締結される。これによって、扉基盤４Ｂの前側には表示灯基板１０５が配置され、表示灯基板１０５の前側には台詞ユニット２６が配置された格好で、扉基盤４Ｂには表示灯基板１０５および台詞ユニット２６が取り付けられる。
【００１９】
中高音ユニット２５と台詞ユニット２６および表示灯基板１０４；１０５が扉基盤４Ｂに取り付けられた後、扉化粧体４Ａおよび扉基盤４Ｂが互いに次のように組み立てられる。扉化粧体４Ａの裏面および扉基盤４Ｂの前面が互いに向かい合わせられる。そして、タッピングスクリューのような止ねじ５１が扉基盤４Ｂの裏側から取付孔５０Ｂを経由して扉化粧体４Ａの裏面に締結される。これによって、扉化粧体４Ａおよび扉基盤４Ｂが互いに組み立てられ、前窓部２４Ａおよび後窓部２４Ｂが前後方向に繋がって図１の窓２４を構成する。したがって、扉化粧体４Ａが別の意匠を形成したものに交換されても、扉基盤４Ｂが共用することができるという利点がある。扉基盤４Ｂが後窓部２４Ｂを備え、扉化粧体４Ａおよび扉基盤４Ｂが互いに組み立てられた場合、前窓部２４Ａおよび後窓部２４Ｂが前後方向に繋がって前扉４の窓２４を構成しているので、前扉４の剛性が高くなるという利点がある。
【００２０】
図５を参照し、音響ユニットの構造について中高音ユニット２５を例として説明する。図５のａ図において、中高音ユニット２５は、前ユニット容器１１７、後ユニット容器１１８、中高音スピーカ１１９を備える。前ユニット容器１１７は、光を透過する性質のある合成樹脂により、板状の前壁の周縁部から後側に周壁を突出し、後側に開口した箱形に構成される。後ユニット容器１１８は、光を透過する性質のある合成樹脂により、板状の後壁の周縁部から前側に周壁を突出し、前側に開口した箱形に構成される。前ユニット容器１１７には、結合部１２０が設けられる。前ユニット容器１１７の前壁には、放音孔１２１およびスピーカ取付部１２２、放音開口部１２３が設けられる。放音孔１２１は、前後方向への貫通孔として形成される。スピーカ取付部１２２および放音開口部１２３は、前後方向への貫通孔を囲む筒体として形成される。前ユニット容器１１７の少なくとも前壁には、ダイヤカットされたような凹凸１２４が形成される（図５のｂ図参照）。後ユニット容器１１８には、取付足１１０が外側に突出して設けられ、結合部１２５が設けられる。後ユニット容器１１８の後壁には、配線孔１２６が前後方向への貫通孔として設けられる。後ユニット容器１１８の少なくとも後壁には、ダイヤカットされたような凹凸１２７が形成される。
【００２１】
中高音スピーカ１１９は、円錐形なコーン１２９の後部に音響変換部１３０を備え、コーン１２９の前縁部から外側にフランジ１３１を突出し、フランジ１３１に複数のねじ挿入孔１３２を備え、音響変換部１３０が音響変換部１３０から外側に突出した被覆電線からなる引出線１３３から入力された音電流を機械的な振動に変換してコーン１２９に伝達し、コーン１２９が伝達された振動を中高音波として拡大して放出する。引出線１３３にはコネクタ１３４が設けられる。そして、コーン１２９が前側に向けられるように、中高音スピーカ１１９が前ユニット容器１１７の後側からスピーカ取付部１２２に配置された場合、コーン１２９および音響変換部１３０が前ユニット容器１１７に接触せず、フランジ１３１の前面がスピーカ取付部１２２の裏面に接触する。
【００２２】
そして、タッピングスクリューのような止ねじ１３５が中高音スピーカ１１９の後側からねじ挿入孔１３２を経由してスピーカ取付部１２２に締結される。これによって、中高音スピーカ１１９が、前ユニット容器１１７の前壁から裏側に突出するように、スピーカ取付部１２２に取り付けられる。その後、コネクタ１３４が後ユニット容器１１８の前側から配線孔１２６を経由して後ユニット容器１１８の裏側に通される。次に、前ユニット容器１１７の裏開口と後ユニット容器１１８の前開口とが互いに向かい合わされ、前ユニット容器１１７と後ユニット容器１１８とが互いに合掌状に組み合わせられ、タッピングスクリューのような止ねじ１３６が前ユニット容器１１７の前側から結合部１２０のねじ挿入孔を経由して結合部１２５の内部に締結される。これによって、中高音スピーカ１１９が、前ユニット容器１１７と後ユニット容器１１８とからなるユニット容器の内部に格納され、前ユニット容器１１７に取り付けられる。
【００２３】
図４において、音響ユニットとしての台詞ユニット２６は、中高音ユニット２５と同様に、台詞スピーカ１３８が前ユニット容器１３９の裏面に図外の止ねじで取り付けられ、台詞スピーカ１３８の被覆電線からなる引出線１４０が後ユニット容器１４１の裏側に引き出され、前ユニット容器１３９と後ユニット容器１４１とが台詞スピーカ１３８を内部に格納するように組み合わせられて図外の止ねじで結合された構造である。そして、台詞スピーカ１３８から放出された台詞は、前ユニット容器１３９の前壁に前後方向への貫通孔として設けられた放音孔１４２から前ユニット容器１３９の前側に放出される。引出線１４０にはコネクタ１４３が設けられる。
【００２４】
最良の形態によれば、図１に示すように、中高音ユニット２５から前側に放出された音は、空気の振動による音の矢印Ｘ１で示す伝達路により、中高音放音孔部４８を経由して前扉４の斜め下方前側に向けて放出される。中高音ユニット２５の後側には表示灯基板１０４が配置され、前ユニット容器１１７および後ユニット容器１１８には凹凸１２４；１２７（図５参照）が形成されている。よって、表示灯１０６から放出された矢印Ｘ２で示す光は、凹凸１２４；１２７で屈折し、前ユニット容器１１７および後ユニット容器１１８を全体的に一様に鮮明に照明するので、光による良好な演出を遊技者に与えることができるという利点がある。台詞ユニット２６から前側に放出された音は、図１に図示はしていないが、空気の振動による音の伝達路により、台詞音放音孔部４９（図３参照）を経由して前扉４の中央上部から斜め下方前側に放出される。台詞ユニット２６の後側には表示灯基板１０５（図４参照）が配置され、前ユニット容器１３９（図４参照）および後ユニット容器１４１（図４参照）には図外の凹凸が形成されている。よって、図４の表示灯１１１から放出された矢印Ｘ２で示す光は、上記図外の凹凸で屈折し、前ユニット容器１３９および後ユニット容器１４１を全体的に一様に鮮明に照明するので、光による良好な演出を遊技者に与えることができるという利点がある。
【００２５】
図４に示すように、音響ユニットとしての中高音ユニット２５および台詞ユニット２６が、互いに独立した構造になっている。つまり、中高音ユニット２５は、中高音スピーカ１１９が前ユニット容器１１７および後ユニット容器１１８からなるユニット容器に内蔵され、台詞ユニット２６から独立した構造である。しかも、左右の中高音ユニット２５も互いに独立した構造である。台詞ユニット２６は、台詞スピーカ１３８が前ユニット容器１３９および後ユニット容器１４１からなるユニット容器に内蔵され、中高音ユニット２５から独立した構造である。よって、図５において、中高音ユニット２５では、前ユニット容器１１７および後ユニット容器１１８からなるユニット容器が中高音スピーカ１１９に対するエンクロージャとして働くので、中高音スピーカ１１９のコーン１２９から拡大して前側に放出された音は、放音孔１２１からユニット容器の前側に放出され、中高音スピーカ１１９のコーン１２９から拡大して後側に放出された音は、放音開口部１２３からユニット容器の前側に放出される。しかも、左右の中高音ユニット２５が互いに独立した構造であり、台詞ユニット２６からも独立した構造であるので、各中高音スピーカ１１９による振動が互いに影響し合うことが無く、中高音スピーカ１１９による振動と台詞スピーカ１３８（図４参照）による振動とが互いに影響し合うことが無い。よって、音響ユニットによる良好な音を遊技者に提供することができるという利点がある。
【産業上の利用可能性】
【００２６】
図６乃至図１１は、異なる形態である。図６は、パチンコ遊技機の遊技機枠１および遊技盤３６を分解して示す。図７は、パチンコ遊技機の正面を示す。図８は、前扉４およびパネル構造体２７を分解して示す。図９は、パネル構造体２７における前面パネル５２、後面パネル５３、フレーム５４、スピーカ前カバー６７を分解して示す。図１０は、パネル構造体２７における低音スピーカ３０、後面パネル５３、フレーム５４、ダクトカバー７７、スピーカ後カバー９０を分解して示す。図１１は、遊技機枠１に設けられた遊技音響装置を図７に示すＢ−Ｂ線に沿って縦方向に切断した断面を示す。
【００２７】
以下、最良の形態と異なる構造について説明する。図６では、低音スピーカ３０が左側の中高音ユニット２５の後側に離れて重ねられて配置され、遊技盤３６の左上隅部が除去されてスピーカ逃避部４６を構成する。図７では、低音放音孔部５０Ｃが、窓２４よりも下部で左右に分かれて、前扉４に設けられる。
【００２８】
図８において、前扉４は、扉化粧体４Ａおよび扉基盤４Ｂを備える。扉化粧体４Ａは、前扉４における前面の意匠を形成するものであって、前窓部２４Ａおよび放音挿入孔５０Ａを備える。放音挿入孔５０Ａが、前窓部２４Ａよりも下部で左右に分かれ、扉化粧体４Ａに前後方向への貫通孔として設けられる。扉基盤４Ｂは、前扉４における部品を取り付ける躯体を形成するものであって、後窓部２４Ｂと取付孔５０Ｂおよび低音放音孔部５０Ｃを備える。取付孔５０Ｂは、扉基盤４Ｂの四隅に前後方向への貫通孔として設けられる。低音放音孔部５０Ｃは、後窓部２４Ｂよりも下部で左右に分かれ、扉基盤４Ｂに前後方向に貫通する筒体として設けられる。扉化粧体４Ａおよび扉基盤４Ｂは互いに次のように組み立てられる。扉化粧体４Ａの裏面および扉基盤４Ｂの前面が互いに向かい合わせられ、低音放音孔部５０Ｃが扉化粧体４Ａの裏側から放音挿入孔５０Ａに挿入され、低音放音孔部５０Ｃの前部が扉化粧体４Ａの前面よりも前側に突出する。そして、タッピングスクリューのような止ねじ５１が扉基盤４Ｂの裏側から取付孔５０Ｂを経由して扉化粧体４Ａの裏面に締結される。これによって、扉化粧体４Ａおよび扉基盤４Ｂが互いに次のように組み立てられ、前窓部２４Ａおよび後窓部２４Ｂが前後方向に繋がって図７の窓２４を構成する。したがって、扉化粧体４Ａが別の意匠を形成したものに交換されても、扉基盤４Ｂが共用することができるという利点がある。扉基盤４Ｂが後窓部２４Ｂを備え、扉化粧体４Ａおよび扉基盤４Ｂが互いに組み立てられた場合、前窓部２４Ａおよび後窓部２４Ｂが前後方向に繋がって前扉４の窓２４を構成しているので、前扉４の剛性が高くなるという利点がある。
【００２９】
パネル構造体２７が、低音スピーカ３０、前面パネル５２、後面パネル５３、フレーム５４、バスレフ開口部５５を備える。前面パネル５２は、窓２４の裏側に配置されかつ窓２４を塞ぐ大きさのガラス板により構成される。後面パネル５３は、前面パネル５２の後側に配置されかつ窓２４を塞ぐ大きさのガラス板により構成される。パネル構造体２７が前扉４の裏面に取り付けられた場合、バスレフ開口部５５が、低音放音孔部５０Ｃと繋がるように、パネル構造体２７の下部に設けられる。
【００３０】
図９において、前面パネル５２には、張出部５６が左上部に設けられる。フレーム５４は、合成樹脂、アルミニウム合金またはマグネシウム合金などの軽金属により、バスレフ開口部５５、フレーム基盤５７、透視開口部５８、前パネル収容部５９、ヒンジブラケット６０、ヒンジピン６１、掛止受止部６２、スピーカ設置部６３、前カバー取付部６４、前パネル支持体６５などを一体に備えた形状に形成される。フレーム基盤５７は、前面パネル５２および後面パネル５３よりも大形な外形を有する。透視開口部５８は、図７の窓２４よりも大きな相似形で、前後方向への貫通孔として、フレーム基盤５７に設けられる。前パネル収容部５９は、透視開口部５８を縁取るように囲み、フレーム基盤５７の前面と透視開口部５８とに開口し、フレーム基盤５７の前面から内部への窪みとして、フレーム基盤５７に設けられる。前パネル収容部５９の外周は、前面パネル５２が前パネル収容部５９に取り込まれるように前面パネル５２の外周と同じ大きさであるが、前面パネル５２を前パネル収容部５９に接着剤で接着される場合は、前パネル収容部５９は、前面パネル５２よりも接着剤の厚さだけ大きい。前パネル収容部５９におけるフレーム基盤５７の前面から内部に窪む寸法は、前面パネル５２の前後方向の寸法である厚さと同じである。前面パネル５２がフレーム５４の前側から透視開口部５８の前側を塞ぐようにフレーム５４に装着されることによって、前面パネル５２の周縁部が前パネル収容部５９に嵌め込まれて接着剤で固定される。
【００３１】
ヒンジブラケット６０は、フレーム５４の左側部に設けられ、フレーム５４の左側部から左側に突出しかつ上下に分かれる。ヒンジピン６１は、ヒンジブラケット６０に個別に設けられ、ヒンジブラケット６０から下方に突出する。掛止受止部６２は、フレーム５４の右側部に設けられ、フレーム５４の右側部から右側に突出しかつ上下に分かれる。スピーカ設置部６３は、フレーム基盤５７の左上部に、前パネル収容部５９の内外に跨り、前後方向に貫通する筒状に設けられる。前カバー取付部６４は、スピーカ設置部６３のフレーム基盤５７よりも外側に突出する部分に設けられる。前パネル支持体６５は、前面パネル５２を受け止めるものであって、透視開口部５８とスピーカ設置部６３との間における透視開口縁部６６に、透視開口縁部６６の周方向に離れて複数設けられ、透視開口縁部６６から前側に突出した突起物である。
【００３２】
スピーカ設置部６３の前面には、スピーカ前カバー６７が取り付けられる。スピーカ前カバー６７は、スピーカ設置部６３のフレーム基盤５７よりも外側に突出する部分における貫通孔を被覆する大きさの板状である。スピーカ前カバー６７には、取付孔６８がねじを挿入するための前後方向への貫通孔として設けられる。そして、スピーカ前カバー６７がフレーム５４の前側からフレーム基盤５７よりも外側に突出する部分における貫通孔を被覆するようにスピーカ設置部６３に配置され、タッピングスクリューのような止ねじ６９が取付孔６８を経由して前カバー取付部６４に締結される。これによって、スピーカ前カバー６７がスピーカ設置部６３のフレーム５４よりも外側に突出する部分を音漏れしないように塞ぐ。
【００３３】
図１０において、フレーム５４には、後パネル収容部７１、バスレフダクト部７２が設けられる。後パネル収容部７１は、透視開口部５８を縁取るように囲み、フレーム基盤５７の裏面と透視開口部５８とに開口し、フレーム基盤５７の後面から内部への窪みとして、フレーム基盤５７に設けられる。後パネル収容部７１の外周は、後面パネル５３が後パネル収容部７１に取り込まれるように後面パネル５３の外周と同じ大きさであるが、後面パネル５３が後パネル収容部７１に接着剤で接着される場合は、後パネル収容部７１は、後面パネル５３よりも接着剤の厚さだけ大きい。後パネル収容部７１のフレーム基盤５７の裏面から内部に窪む寸法は、後面パネル５３の前後方向の寸法である厚さと同じである。後面パネル５３がフレーム５４の裏側から透視開口部５８の裏側を塞ぐようにフレーム５４に装着されることによって、後面パネル５３の周縁部が後パネル収容部７１に嵌め込まれて接着剤で固定される。
【００３４】
バスレフダクト部７２は、除去部７３と隔壁７４および導入部７５によって、スピーカ設置部６３、前面パネル５２と後面パネル５３およびフレーム５４で囲まれた閉鎖空間Ｄ（図１１参照）、バスレフ開口部５５を相互に繋ぐ、空気の振動による音の矢印Ｘ１で示す伝達路を形成する。除去部７３は、後パネル収容部７１における左下部および右下部が取り除かれたことによって、フレーム基盤５７の裏面から前側内部への窪みとして、透視開口部５８の周縁部を残す形状に構成される。隔壁７４は、除去部７３によってフレーム基盤５７に残された透視開口部５８の周縁部の裏面から裏側に突出し、バスレフ開口部５５を囲む突条である。導入部７５は、隔壁７４の上部が除去部７３の透視開口部５８に繋がるように取り除かれたことによって形成される。除去部７３には、ダクトカバー取付部７６が筒状の突起として設けられる。
【００３５】
フレーム５４の裏面には、ダクトカバー７７が取り付けられる。ダクトカバー７７は、除去部７３と隔壁７４および導入部７５を全体的に被覆する大きさの板状である。ダクトカバー７７には、後パネル収容部７８および取付孔７９が設けられる。後パネル収容部７８は、ダクトカバー７７がフレーム５４に取り付けられた場合、後パネル収容部７１に繋がる部分である。取付孔７９は、ねじを挿入するための前後方向への貫通孔である。そして、ダクトカバー７７がフレーム５４の後側から除去部７３と隔壁７４および導入部７５を被覆するようにフレーム５４の裏面に配置され、タッピングスクリューのような止ねじ８０が取付孔７９を経由してダクトカバー取付部７６に締結される。これによって、ダクトカバー７７が、フレーム５４に取り付けられ、除去部７３と隔壁７４および導入部７５を全体的に音漏れしないように塞ぐ。その後、後面パネル５３が後パネル収容部７１；７８に収容されてフレーム５４に接着剤で取り付けられることによって、バスレフダクト部７２はスピーカ設置部６３と閉鎖空間Ｄおよびバスレフ開口部５５を相互に繋ぐ、空気の振動による音の伝達路を形成する。
【００３６】
スピーカ設置部６３の内部には、スピーカ取付部８１が設けられる。スピーカ設置部６３の外部には、後カバー取付部８２が設けられる。低音スピーカ３０は、円錐形なコーン８３の後部に音響変換部８４を備え、コーン８３の前縁部から外側にフランジ８５を突出し、フランジ８５に複数のねじ挿入孔８６を備え、音響変換部８４が音響変換部８４から外側に突出した被覆電線からなる引出線８７から入力された音電流を機械的な振動に変換してコーン８３に伝達し、コーン８３が伝達された振動を低音波として拡大して放出する。引出線８７にはコネクタ８８が設けられる。そして、コーン８３が前側に向けられるように、低音スピーカ３０がフレーム５４の後側からスピーカ設置部６３に配置された場合、音響変換部８４およびコーン８３がスピーカ設置部６３に接触せず、フランジ８５の前面がスピーカ取付部８１の裏面に接触する。そして、タッピングスクリューのような止ねじ８９が低音スピーカ３０の後側からねじ挿入孔８６を経由してスピーカ取付部８１に締結されることによって、低音スピーカ３０がスピーカ設置部６３に取り付けられる。
【００３７】
低音スピーカ３０には、スピーカ後カバー９０が被せられる。スピーカ後カバー９０は、前側に開口した箱形である。スピーカ後カバー９０の前側開口の周縁部には、取付部としてのねじ挿入孔９１が設けられる。スピーカ後カバー９０の後壁には、多数の貫通孔からなる放音孔部９２が設けられる。スピーカ後カバー９０が低音スピーカ３０に被せられる場合、コネクタ８８がスピーカ後カバー９０の前側から放音孔部９２を構成する１つの貫通孔に挿入されてスピーカ後カバー９０の後側に引き出されることによって、引出線８７がスピーカ後カバー９０の後壁に貫通させられる。そして、スピーカ後カバー９０が低音スピーカ３０の後側から低音スピーカ３０に被せられ、スピーカ後カバー９０の前側開口の周縁部がスピーカ設置部６３の裏面に接触され、タッピングスクリューのような止ねじ９３がスピーカ後カバー９０の後側からねじ挿入孔９１を経由して後カバー取付部８２に締結されることによって、スピーカ後カバー９０がスピーカ設置部６３に取り付けられる。この異なる形態は、バスレフ開口部５５およびスピーカ設置部６３がフレーム５４に設けられているので、バスレフ開口部５５およびスピーカ設置部６３を図７の前面パネル５２に設ける場合に比べ、前面パネル５２の構造が簡単なものとなるという利点がある。
【００３８】
図８において、前述したように構成された遊技音響装置を備えたパネル構造体２７のヒンジピン６１が、前扉４の裏面に設けられた図外のヒンジ孔に上方から嵌め込まれることによって、パネル構造体２７が前扉４の裏面に取り付けられる。ヒンジピン６１と図外のヒンジ孔とが図２のヒンジ２９を構成する。そして、図２に示すように、パネル構造体２７がヒンジ２９を中心として前扉４の裏側に閉じられ、掛止部材２８が遊技店の店員によって操作されて掛止受止部６２の裏面に掛け止められ、パネル構造体２７が前扉４の裏面に開閉不能に支持されると、パネル構造体２７が窓２４を裏側から塞ぎ、低音スピーカ３０の前側には中高音放音孔部４８が離れて重ねられるように配置される。
【００３９】
異なる形態によれば、図１１に示すように、低音スピーカ３０のコーン８３から前側に放出された音は、空気の振動による音の矢印Ｘ３で示す伝達路により、スピーカ設置部６３の内部における貫通孔の前側から閉鎖空間Ｄとバスレフダクト部７２とバスレフ開口部５５および低音放音孔部５０Ｃを経由して前扉４の左右下部から前側に放出される。低音スピーカ３０のコーン８３から後側に放出された音は、空気の振動による音の矢印Ｘ４で示す伝達路により、スピーカ設置部６３の内部における貫通孔の後側からスピーカ後カバー９０の内部と放音孔部９２および遊技盤３６のスピーカ逃避部４６を経由して遊技盤３６の裏側に放出される。低音スピーカ３０の前側に配置された中高音スピーカ２５から前側に放出された音は、空気の振動による音の矢印Ｘ１で示す伝達路により、中高音放音孔部４８を経由して前扉４の左上部から斜め下方前側に放出される。
【００４０】
つまり、前扉４の上部前側に放出される中高音と前扉４の下部前側に放出される低音とによって、音による遊技の演出が遊技機枠１の前側で遊技を行う遊技者に提供されるという利点がある。低音スピーカ３０の後側に放出される低音は、遊技機枠１の後側に放出されるので、前扉４の下部前側に放出される低音と打ち消しあうように干渉する不都合はないという利点がある。遊技盤３６がスピーカ逃避部４６を備えているので、低音スピーカ３０がパネル構造体２７から後側に突出しても、遊技盤３６の前面である遊技領域と後面パネル５３の裏面との間における球Ｐの落下する隙間９４を適切に確保することができるという利点がある。スピーカ後カバー９０が低音スピーカ３０を被覆してスピーカ設置部６３に設けられ、スピーカ後カバー９０には放音孔部９２が設けられているので、低音スピーカ３０の後側に放出された音が、隙間９４に回り込むことなく、遊技機枠１の裏側に適切に導かれる。
【００４１】
図１１において、前扉４とパネル構造体２７との境を明確に示すために、パネル構造体２７の前面パネル５２の前面が窓２４を囲む前扉４の裏面から離れているように図示してあるが、パネル構造体２７が前扉４に開閉不能に閉じられた場合、前面パネル５２の前面が窓２４を囲む前扉４の裏面に接触する。図１０ではフレーム５４の裏面からの除去部７３の深さは同じ寸法のように図示して図面の明確化を優先したのに対し、図１１ではフレーム５４の裏面からの除去部７３の深さは異なる寸法のように図示した。この図１１に対する理由は、隔壁７４で囲まれる部分での除去部７３の深さが前パネル収容部５９に対応する部分での除去部７３の深さよりも深く形成されることによって、隔壁７４で囲まれる部分におけるバスレフダクト部７２の前後方向の寸法Ｈ１が、前パネル収容部５９と後パネル収容部７１との対向する前後方向の寸法Ｈ２よりも大きくなり、バスレフダクト部７２の容積が低音放音孔部５０Ｃから放出される低音を良好に保つように形成するためである。
【００４２】
前面パネル５２が張出部５６を備え、張出部５６がスピーカ設置部６３の前側に配置されているので、スピーカ設置部６３において、前パネル収容部５９および後パネル収容部７１が互いに前後方向で相対峙しないように位置がずれる。よって、前パネル収容部５９および後パネル収容部７１が互いに前後方向で相対峙した場合に比べ、前面パネル５２の裏面と後パネル収容部７１の前面との間の間隙Ｈ３が広くなる。このようにスピーカ設置部６３における間隙Ｈ３が広くなると、低音スピーカ３０のコーン８３から前側に放出された直後の音圧の高い音が広い間隙Ｈ３を通過するので、良好な低音がスピーカ設置部６３から閉鎖空間Ｄに放出されるという利点がある。
【図面の簡単な説明】
【００４３】
【図１】Ａ−Ａ線断面図（最良の形態）。
【図２】パチンコ遊技機の分解斜視図（最良の形態）。
【図３】パチンコ遊技機の正面図（最良の形態）。
【図４】前扉の分解斜視図（最良の形態）。
【図５】音響ユニットの分解斜視図（最良の形態）。
【図６】パチンコ遊技機の分解斜視図（異なる形態）。
【図７】パチンコ遊技機の正面図（異なる形態）。
【図８】前扉およびパネル構造体の分解斜視図（異なる形態）。
【図９】パネル構造体の前側の分解斜視図（異なる形態）。
【図１０】パネル構造体の後側の分解斜視図（異なる形態）。
【図１１】図７のＢ−Ｂ線断面図（異なる形態）。
【符号の説明】
【００４４】
１      遊技機枠
４      前扉
４Ａ    扉化粧体
４Ｂ    扉基盤
２５    中高音ユニット
２６    台詞ユニット
２７    パネル構造体
１０４  表示灯基板
１０５  表示灯基板
１１９  中高音スピーカ
１３８  台詞スピーカ
【図１】
2007175123.tif 000003
【図２】
2007175123.tif 000004
【図３】
2007175123.tif 000005
【図４】
2007175123.tif 000006
【図５】
2007175123.tif 000007
【図６】
2007175123.tif 000008
【図７】
2007175123.tif 000009
【図８】
2007175123.tif 000010
【図９】
2007175123.tif 000011
【図１０】
2007175123.tif 000012
【図１１】
2007175123.tif 000013